(57)【要約】【課題】機器を移動させる際に持ち方によって発生し得るタッチパネルの誤操作を防ぎながら、撮影者が撮影動作を行う際は撮影することが可能な撮像装置を提供すること。【解決手段】タッチ検出でＡＦ動作及び撮影動作を実行するライブビュー撮影時に、合焦状態を判定するＡＦ評価値が所定値以下であると判定し、かつ、揺れ検出センサにより撮像装置が揺れていると判定する場合、タッチパネルをタッチされてもＡＦ動作は行うが撮影動作の利用を許可しないことを特徴とする。【選択図】図１
2017175306.tif 000002
【特許請求の範囲】
【請求項１】
被写体を撮像する撮像手段（２６）と、
撮像手段（２６）が撮像した画像のコントラストに基づいて撮像光学系の自動焦点検出（オートフォーカス＝以下、ＡＦ）を行うＡＦ制御部（２５）と、
多点検出可能なタッチセンサ（１０１）を含むタッチパネル（７０）と、
撮像手段の動きを検出可能な揺れ検出センサ（９０）と、
焦点検出手段による自動焦点検出と、揺れ検出センサ（９０）による揺れ検出とを並行して実行可能なシステム制御部（５０）を有する撮像装置（１００）であって、
タッチ位置でのＡＦ動作及び撮影動作を実行する撮影モードにおいて、
システム制御部（５０）は、合焦状態を判定するＡＦ評価値が所定値以下であると判定し、かつ、揺れ検出センサ（９０）により撮像装置が揺れていると判定した場合、
タッチパネル（７０）をタッチされてもＡＦ動作は行うがタッチシャッター撮影動作の利用を許可しないことを特徴とする撮像装置。
【請求項２】
タッチ位置でのＡＦ動作及び撮影動作を実行する撮影モードにおいて、
システム制御部（５０）は、継続的に合焦動作を行うコンティニュアスＡＦモードに設定されていて、かつ、ＡＦ評価値が所定値以下であると判定する場合、
タッチパネル（７０）をタッチされてもＡＦ動作は継続するがタッチシャッター撮影動作を許可しないことを特徴とする請求項１に記載の撮像装置。
【請求項３】
タッチ位置でのＡＦ動作及び撮影動作を実行する撮影モードにおいて、
システム制御部（５０）は、合焦状態を判定するＡＦ評価値が所定値以下であると判定し、かつ、揺れ検出センサ（９０）により撮像装置が揺れていると判定しても、所定値時間以上タッチが継続されていればタッチシャッター撮影動作を許可することを特徴とする請求項１に記載の撮像装置。
【請求項４】
タッチ位置でのＡＦ動作及び撮影動作を実行する撮影モードにおいて、
システム制御部（５０）は、合焦状態を判定するＡＦ評価値が所定値以下であると判定し、かつ、揺れ検出センサ（９０）により撮像装置が揺れていると判定しても、セルフモードに設定されていればタッチシャッター撮影動作を許可することを特徴とする請求項１に記載の撮像装置。
【請求項５】
タッチ位置でのＡＦ動作及び撮影動作を実行する撮影モードにおいて、
システム制御部（５０）は、合焦状態を判定するＡＦ評価値が所定値以下であると判定し、かつ、揺れ検出センサ（９０）により撮像装置が揺れていると判定しても、所定時間内に２度同じ位置をタッチするダブルタップ動作をされていれば、タッチシャッター撮影動作を許可することを特徴とする請求項１に記載の撮像装置。
【発明の詳細な説明】
【技術分野】
【０００１】
本発明は、タッチパネルを有する撮像装置に関し、特にタッチシャッター機能を有する装置に関する。
【背景技術】
【０００２】
近年、携帯電話やデジタルカメラにある液晶モニタなどの表示用モニタは見やすさを求めて、筐体のサイズに近いサイズにまで大きくしており、ボタンなどの操作部材の代わりにタッチパネル付き液晶モニタが使用されている。
【０００３】
しかしながら、表示用モニタのサイズが機器の大きさと同程度になるにつれ、機器を保持する指が表示用モニタにかかるため、タッチセンサがタッチを検出してしまい意図しない動作をしてしまうおそれがあった。特にタッチパネルをタッチすることでシャッター動作を行うタッチシャッター機能を有効にした状態でカメラを手渡す時に、誤ってタッチパネルに触れてしまい、意図しない写真を撮影してしまうという問題があった。
【０００４】
これを対策するため、特許文献１には、タッチパネルが操作できる状態で機器を移動させるときに、自動的にタッチパネルの入力を禁止にすることで誤操作を防止する技術が開示されている。
【先行技術文献】
【特許文献】
【０００５】
【特許文献１】特開２００９−８７０７６号公報
【発明の概要】
【発明が解決しようとする課題】
【０００６】
しかしながら、上述の特許文献１に開示された従来技術では、例えば撮影動作に入った際に意図せずして起きる手ぶれ動作が発生した時や、遊具など揺れ物に乗っている際に操作ができなくなる可能性がある。
【０００７】
そこで、本発明の目的は、機器を移動させる際に持ち方によって発生し得るタッチパネルの誤操作を防ぎながら、撮影者が撮影動作を行う際は撮影することが可能な撮像装置を提供することにある。
【課題を解決するための手段】
【０００８】
上記の目的を達成するために、本発明の請求項１に係る撮像装置は、
被写体を撮像する撮像手段（２６）と、
撮像手段（２６）が撮像した画像のコントラストに基づいて撮像光学系の自動焦点検出（オートフォーカス＝以下、ＡＦ）を行うＡＦ制御部（２５）と、
多点検出可能なタッチセンサ（１０１）を含むタッチパネル（７０）と、
撮像手段の動きを検出可能な揺れ検出センサ（９０）と、
焦点検出手段による自動焦点検出と、揺れ検出センサ（９０）による揺れ検出とを並行して実行可能なシステム制御部（５０）を有する撮像装置（１００）であって、
タッチ位置でのＡＦ動作及び撮影動作を実行する撮影モードにおいて、
システム制御部（５０）は、合焦状態を判定するＡＦ評価値が所定値以下であると判定し、かつ、揺れ検出センサ（９０）により撮像装置が揺れていると判定した場合、
タッチパネル（７０）をタッチされてもＡＦ動作は行うがタッチシャッター撮影動作の利用を許可しないことを特徴とする。
【０００９】
本発明の請求項２に係る撮像装置は、
請求項１に記載の撮像装置において、
タッチ位置でのＡＦ動作及び撮影動作を実行する撮影モードにおいて、
システム制御部（５０）は、継続的に合焦動作を行うコンティニュアスＡＦモードに設定されていて、かつ、ＡＦ評価値が所定値以下であると判定する場合、
タッチパネル（７０）をタッチされてもＡＦ動作は継続するがタッチシャッター撮影動作を許可しないことを特徴とする。
【００１０】
本発明の請求項３に係る撮像装置は、
請求項１に記載の撮像装置において、
タッチ位置でのＡＦ動作及び撮影動作を実行する撮影モードにおいて、
システム制御部（５０）は、合焦状態を判定するＡＦ評価値が所定値以下であると判定し、かつ、揺れ検出センサ（９０）により撮像装置が揺れていると判定しても、所定値時間以上タッチが継続されていればタッチシャッター撮影動作を許可することを特徴とする。
【００１１】
本発明の請求項４に係る撮像装置は、
請求項１に記載の撮像装置において、
タッチ位置でのＡＦ動作及び撮影動作を実行する撮影モードにおいて、
システム制御部（５０）は、合焦状態を判定するＡＦ評価値が所定値以下であると判定し、かつ、揺れ検出センサ（９０）により撮像装置が揺れていると判定しても、セルフモードに設定されていればタッチシャッター撮影動作を許可することを特徴とする。
【００１２】
本発明の請求項５に係る撮像装置は、
請求項１に記載の撮像装置において、
タッチ位置でのＡＦ動作及び撮影動作を実行する撮影モードにおいて、
システム制御部（５０）は、合焦状態を判定するＡＦ評価値が所定値以下であると判定し、かつ、揺れ検出センサ（９０）により撮像装置が揺れていると判定しても、所定時間内に２度同じ位置をタッチするダブルタップ動作をされていれば、タッチシャッター撮影動作を許可することを特徴とする。
【発明の効果】
【００１３】
本発明によれば、機器を移動させる際に持ち方によって発生し得るタッチパネルの誤操作を防ぎながら、撮影者が撮影動作を行う際は撮影する行為を阻害しない撮像装置を提供することができる。
【図面の簡単な説明】
【００１４】
【図１】本発明の実施例における撮像装置の構成を示すブロック図
【図２】本発明の実施例における動作を説明したフローチャート
【図３】コンティニュアスモードに設定時の動作の詳細を説明するフローチャート
【図４】コンティニュアスＡＦ時にＡＦ評価値を用いて判定を行う方法を説明するためのタイミングチャート
【発明を実施するための形態】
【００１５】
以下に、本発明の好ましい実施の形態を、添付の図面に基づいて詳細に説明する。
【００１６】
図１は本発明の実施形態にかかわる撮像装置１００の構成の一例である。
【００１７】
図１において、１０３はフォーカスレンズを含む撮影レンズ、１０５は絞り機能を備えるシャッター、２２は光学像を電気信号に変換するＣＣＤやＣＭＯＳ素子等で構成される撮像部である。
【００１８】
２３はＡ／Ｄ変換器であり、アナログ信号をデジタル信号に変換する。Ａ／Ｄ変換器２３は、撮像部２２から出力されるアナログ信号をデジタル信号に変換するために用いられる。
【００１９】
１０４はバリアであり、撮像装置１００の、撮影レンズ１０３を含む撮像部を覆うことにより、撮影レンズ１０３、シャッター１０５、撮像部２２を含む撮像系の汚れや破損を防止する。
【００２０】
画像処理部２４は、Ａ／Ｄ変換器２３からのデータ、又は、メモリ制御部１５からのデータに対し所定の画素補間、縮小といったリサイズ処理や色変換処理を行う。
【００２１】
また、画像処理部２４では、撮像した画像データを用いて所定の演算処理が行われ、得られた演算結果に基づいてシステム制御部５０が露光制御、測距制御を行う。これにより、システム制御部内のＡＦ（オートフォーカス）制御部（２５）では、合焦状態を表すＡＦ評価値の算出及びＡＦ駆動の制御が行われ、ＡＦ処理として合焦動作を１回行うＡＦをシングルＡＦ、継続的に合焦動作を行うＡＦをコンティニュアスＡＦがある。コンティニュアスＡＦ処理による合焦動作の詳細は図３及び図４を用いて後述する。また、システム制御部内の図示しないブロックにてＡＥ（自動露出）処理、ＥＦ（フラッシュプリ発光）処理などが行われる。
【００２２】
Ａ／Ｄ変換器２３からの出力データは、画像処理部２４及びメモリ制御部１５を介して、或いは、メモリ制御部１５を介してメモリ３２に直接書き込まれる。
【００２３】
メモリ３２は、撮像部２２によって得られＡ／Ｄ変換器２３によりデジタルデータに変換された画像データや、表示部２８に表示するための画像データを格納する。メモリ３２は、所定枚数の静止画像や所定時間の動画像および音声を格納するのに十分な記憶容量を備えている。また、メモリ３２は画像表示用のメモリ（ビデオメモリ）を兼ねている。
【００２４】
Ｄ／Ａ変換器１３は、メモリ３２に格納されている画像表示用のデータをアナログ信号に変換して表示部２８に供給する。こうして、メモリ３２に書き込まれた表示用の画像データはＤ／Ａ変換器１３を介して表示部２８により表示される。
【００２５】
表示部２８は、液晶等の表示器上に、Ｄ／Ａ変換器１３からのアナログ信号に応じた表示を行う。Ａ／Ｄ変換器２３によって一度Ａ／Ｄ変換されメモリ３２に蓄積されたデジタル信号をＤ／Ａ変換部１３においてアナログ変換し、表示部２８に逐次転送して表示することが可能である。
【００２６】
不揮発性メモリ５６は、電気的に消去・記録可能なメモリであり、例えばＦＬＡＳＨ  ＲＯＭやＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのプログラムのことである。
【００２７】
システム制御部５０は、撮像装置１００全体を制御する。上述した不揮発性メモリ５６に記録されたプログラムを実行することで、後述する本実施形態の各処理を実現する。システムメモリ５２は、ＲＡＭが用いられる。システムメモリ５２には、システム制御部５０の動作用の定数、変数、不揮発性メモリ５６から読み出したプログラム等を展開する。また、システム制御部はメモリ３２、Ｄ／Ａ変換器１３、表示部２８等を制御することにより表示制御も行う。システムタイマー５３は各種制御に用いる時間や、内蔵された時計の時間を計測する計時部である。
【００２８】
モード切替スイッチ６０、第１シャッタースイッチ６２、第２シャッタースイッチ６４、タッチパネル７０はシステム制御部５０に各種の動作指示を入力するための操作手段である。
【００２９】
モード切替スイッチ６０は、システム制御部５０の動作モードを静止画記録モード、動画記録モード、再生モード等のいずれかに切り替える。
【００３０】
操作部５７は、各種ボタンスイッチからなり、各種メニューに対応した設定や、ＬＶ撮影開始及び停止を行うスイッチ、上下左右方向スイッチなどがある。
【００３１】
第１シャッタースイッチ６２は、撮像装置１００に設けられたシャッターボタン６１の操作途中、いわゆる半押し（撮影準備指示）でＯＮとなり第１シャッタースイッチ信号ＳＷ１を発生する。第１シャッタースイッチ信号ＳＷ１により、ＡＦ処理、ＡＥ処理、ＡＷＢ処理、ＥＦ処理等の動作を開始する。
【００３２】
第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影処理の動作を開始する。
【００３３】
９０は角速度センサや加速度センサなどの揺れ検出センサであり、撮像装置１００に発生した振動を検出する手段として用いる。装置の取り扱いに伴う揺れや動きを検出し、電圧レベルに変換された揺れ量を、システム制御部５０でＡ／Ｄ変換する。揺れ検出センサ９０は、少なくとも表示部２８の表示面に対して水平な方向（ＸＹ軸）の加速度が検出できるように設置されているものとする。
【００３４】
タッチパネル７０は、表示部２８に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が表示部２８に表示される。
【００３５】
また、ＬＶ撮影時にはモード選択によってタッチで撮影可能なモードを備え表示部に表示された被写体をタッチすることで第１シャッタースイッチ６２と第２シャッタースイッチ６４で行う処理を連続して行い、一連の撮影処理の動作を開始するタッチシャッターを行うことができる。
【００３６】
タッチセンサ１０１は、本実施例ではタッチに対し指などの電導物体との間に容量を発生させる静電容量タッチセンサであり、例えば、二次元平面状に設置され、２点以上の多点タッチ検出を可能とする。
【００３７】
タッチセンサドライバ回路１０２は、後述のタッチ検出部１０６、座標算出部１１０、タッチ入力領域判定部１１１から構成される。
【００３８】
タッチ検出部１０６は、前記容量をタッチ検出閾値と比較することでタッチ検出有無を判定する。また、前記容量を接近検出閾値と比較することで接近検出（以下、ホバー検出）を判定する。
【００３９】
座標算出部１１０は、各センサの前記容量から例えば重心を算出してタッチ位置やホバー位置の座標算出を行う。なお、タッチセンサ１０１の配置が二次元以上の場合、軸毎に個別に前記重心の算出を行う。
【００４０】
タッチ入力領域判定部１１１は、タッチセンサ１０１における容量の分布から電導物体の大きさを判定する。
【００４１】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。
【００４２】
電源部３０は、リチウム電池やアルカリ電池等の一次電池や、ＮｉＣｄ電池やＮｉＭＨ電池、リチウムイオン電池等の二次電池、ＡＣ／ＤＣアダプター等からなる。
【００４３】
Ｉ／Ｆ１８はメモリカードやハードディスク等の記録媒体２００とのインターフェースである。
【００４４】
記録媒体２００は、メモリカード等の記録媒体であり、半導体メモリや磁気ディスク等から構成される。
【００４５】
図２は本発明の実施例における動作を説明したフローチャートである。
【００４６】
Ｓ１０１にてライブビュー撮影動作を開始し、Ｓ１０２でタッチ検出すると、Ｓ１０３でコンティニュアスＡＦモードに設定されている場合はＳ２００に進み、コンティニュアスＡＦモードでの動作を行う。コンティニュアスＡＦモードに設定されていないシングルＡＦの場合、Ｓ１０４に進む。
【００４７】
Ｓ１０４にて揺れ検出を行い、カメラが揺れていない場合はＳ１１２通常の動作へ進み、揺れている場合はＳ１０５に進む。
【００４８】
Ｓ１０５にて所定時間以上タッチされているか判定を行い、所定時間以上タッチされている場合はＳ１１２通常の動作へ進み、されていない場合はＳ１０６に進む。
【００４９】
Ｓ１０６にてセルフ撮影モードに設定されている場合はＳ１１２通常の動作へ進み、されていない場合はＳ１０７に進む。
【００５０】
Ｓ１０７にて所定時間内に２度同じ場所をタッチするダブルタップ動作をされている場合はＳ１１２通常の動作へ進み、されていない場合はＳ１０８に進む。
【００５１】
Ｓ１０８にてＡＦ制御部（２５）によって算出された合焦状態を表すＡＦ評価値が所定値以上の場合はＳ１１２通常の動作へ進み、所定値以下の場合はＳ１０９にてタッチシャッター撮影動作を禁止し、Ｓ１１０に進みＡＦ動作を行う。Ｓ１１１にて動作を終了する。
【００５２】
図３はＳ１０３におけるコンティニュアスモードに設定時の動作の詳細を説明するフローチャートである。
【００５３】
Ｓ２０１でシステム制御部５０は、Ｓ３０３で開始したコンティニュアスＡＦ処理の動作状態を取得する。コンティニュアスＡＦには、
・フォーカシングレンズを駆動しながら合焦ピークを探索するための山登りＡＦ状態
・探索した合焦ピーク位置にフォーカシングレンズを移動させる目標位置移動状態
・合焦ピーク位置にフォーカシングレンズが到達した後の合焦状態を監視する監視状態
の３つの状態を順次実行することにより実現される。
【００５４】
Ｓ２０２でシステム制御部５０は、コンティニュアスＡＦの状態が山登りＡＦ状態かどうか判定する。コンティニュアスＡＦの状態が山登りＡＦ状態の場合、システム制御部５０は処理をＳ２０５に進め、タッチシャッター撮影動作の禁止と判定する。一方、コンティニュアスＡＦの状態が山登りＡＦ状態でない場合、システム制御部５０は処理をＳ２０３に進める。
【００５５】
Ｓ２０３でシステム制御部５０は、コンティニュアスＡＦ処理が目標位置移動状態もしくは監視状態であって、現在の合焦状態が合焦ピーク付近かどうか判定する。現在の合焦状態が合焦ピーク付近であると判定される場合、システム制御部５０は処理をＳ２０４に進め、タッチシャッター撮影動作の実行が可能であると判定する。一方、現在の合焦状態が合焦ピーク付近ではないと判定される場合、システム制御部５０は処理をＳ２０５に進め、タッチシャッター撮影動作の実行は不可と判定する。
【００５６】
図４はＡＦ評価値を用いて図３のＳ２０３の判定を行う方法を説明するためのタイミングチャートである。
【００５７】
図４において、横軸が時間、縦軸がＡＦ評価値を示している。ＡＦ評価値は、画像中の所定の領域に含まれる信号に対してバンドパスフィルターや積分処理をおこなって得られる画像のコントラスト（輝度差）を数値化したものである。画像のコントラストは合焦度合によって変化し、合焦度合が低いほどコントラストが低下することが知られている。
【００５８】
システム制御部５０は、山登りＡＦ状態では、焦点制御部４２を通じてフォーカスレンズを徐々に駆動しながらＡＦ評価値をチェックし、最も高いＡＦ評価値が得られるフォーカスレンズ位置を検索する。山登りＡＦは、ＡＦ評価値が高くなる方向にフォーカスレンズの位置を駆動するものであり、システム制御部５０は、ＡＦ評価値の極大値が見つからないうちは、山登りＡＦ状態を継続する。
【００５９】
ＡＦ評価値の極大値が得られる合焦状態を合焦ピークと称し、システム制御部５０はこのときのＡＦ評価値（必要ならフォーカスレンズ位置も）を例えばメモリ３０に記憶する。ただし、ＡＦ評価値の極大値が得られても、そのときのＡＦ評価値が、合焦状態と判定するために十分な大きさに設定された閾値よりも低い場合には、合焦ピークの検索を終えていないと判断し、山登りＡＦ状態を継続する。反対に、ＡＦ評価値がこの閾値よりも高くとも、ＡＦ評価値の極大値が得られていない場合には、合焦ピークの検索を終えていないと判断し、山登りＡＦ状態を継続する。
【００６０】
山登りＡＦ処理によって合焦ピークの検索が終了すると、システム制御部５０は、コンティニュアスＡＦ処理を目標位置移動状態とし、焦点制御部４２を通じてフォーカスレンズを合焦ピークに対応した位置に移動させる。そして、合焦ピークに対応する位置へフォーカスレンズの移動が完了すると、システム制御部５０はコンティニュアスＡＦ処理を監視状態とし、ＡＦ評価値の監視を開始する。そして、現在のフォーカスレンズ位置におけるＡＦ評価値が所定値以下になると、システム制御部５０は再び山登りＡＦ状態から処理を繰り返す。
【００６１】
本実施形態において、図４のＳ２０３で行う判定では、山登りＡＦ状態で検出された合焦ピークに対応するＡＦ評価値よりやや低い予め定めたＡＦ評価値（タッチシャッター撮影動作の制御閾値とよぶ）を超えていれば、現在の合焦状態が合焦ピーク付近であると判定する。すなわち、Ｓ２０３においてシステム制御部５０は、現在のＡＦ評価値が笑顔制御処理の制御閾値を超えている場合に、現在の合焦状態が合焦ピーク付近であると判定する。一方、現在のＡＦ評価値がタッチシャッター撮影動作の制御閾値に満たない場合、システム制御部５０は現在の合焦状態が合焦ピーク付近ではないと判定する。なお、この方法によれば、合焦ピークが見つかるまではタッチシャッター撮影動作の制御閾値が設定できないため、システム制御部５０は、合焦ピークを見つけて、初めてタッチシャッター撮影動作の実行が可能であると判定する。
【００６２】
以上の実施形態によれば、シングルＡＦ及びコンティニュアスＡＦモードのいずれに設定されていても、機器を移動させる際に持ち方によって発生し得るタッチパネルの誤操作を防ぎながら、撮影者が撮影動作を行う際は撮影することが可能な撮像装置を提供することができる。
【符号の説明】
【００６３】
２４  画像処理部、２５  ＡＦ制御部、２８  表示部、５０  システム制御部、
５７  操作部、７０  タッチパネル、９０  揺れ検出センサ、１０１  タッチセンサ、
１０２  タッチセンサドライバ回路
【図１】
2017175306.tif 000003
【図２】
2017175306.tif 000004
【図３】
2017175306.tif 000005
【図４】
2017175306.tif 000006